(57)【要約】【課題】  第１及び第２内かごが外かごに対して不規則な動きになることを抑制することができるダブルデッキエレベータを提供する。【解決手段】  ダブルデッキエレベータにおいては、外かごは、外かごレールに対して停止するために起動する外かご停止装置を備え、第１及び第２内かごの少なくとも一方は、案内されるレールに対して停止するために起動する内かご停止装置を備え、内かご停止装置は、外かご停止装置が起動する際に、起動する。【選択図】  図２
2018065627.tif 000002
【特許請求の範囲】
【請求項１】
上下方向に並列される第１及び第２内かごと、
前記第１及び第２内かごを内部に配置する外かごと、
前記外かごを上下方向に沿って案内する外かごレールと、
前記外かごに固定され、前記第１内かごを上下方向に沿って案内する第１レールと、
前記外かごに固定され、前記第２内かごを上下方向に沿って案内する第２レールと、
前記第１内かごと前記第２内かごとにそれぞれ接続される内かごロープと、
前記内かごロープが巻き掛けられ、前記外かごに固定される回転体と、を備え、
前記外かごは、前記外かごレールに対して停止するために起動する外かご停止装置を備え、
前記第１及び第２内かごの少なくとも一方は、案内される前記レールに対して停止するために起動する内かご停止装置を備え、
前記内かご停止装置は、前記外かご停止装置が起動する際に、起動する、ダブルデッキエレベータ。
【請求項２】
上方側で前記第１レールを構成し且つ下方側で前記第２レールを構成する内かごレールを備え、
前記外かごは、上下方向に離間して配置される上枠及び下枠と、上下方向に沿って延び、前記上枠と前記下枠とにそれぞれ固定される縦枠と、を備え、
前記回転体は、前記上枠に固定され、
前記外かご停止装置は、前記外かごの下方側に配置され、
前記内かごレールの下端部は、前記下枠に固定される、請求項１に記載のダブルデッキエレベータ。
【請求項３】
前記内かごレールの上端部は、前記上枠と離間する、請求項２に記載のダブルデッキエレベータ。
【請求項４】
前記縦枠の上下方向の圧縮強度は、前記内かごレールの上下方向の圧縮強度よりも、小さい、請求項２又は３に記載のダブルデッキエレベータ。
【請求項５】
前記内かご停止装置は、前記外かご停止装置が起動する前に、起動する、請求項１〜４の何れか１項に記載のダブルデッキエレベータ。
【請求項６】
前記内かご停止装置は、前記第１及び第２内かごの両方に備えられ、
前記第１及び第２内かごの前記内かご停止装置は、同時に起動する、請求項１〜５の何れか１項に記載のダブルデッキエレベータ。
【発明の詳細な説明】
【技術分野】
【０００１】
本発明は、上下方向に並列される第１及び第２内かごと、第１及び第２内かごを内部に配置する外かごとを備えるダブルデッキエレベータに関する。
【背景技術】
【０００２】
従来、エレベータとして、上下方向に並列される第１及び第２内かごと、第１及び第２内かごを内部に配置する外かごとを備えるダブルデッキエレベータが、知られている（例えば、特許文献１）。そして、第１及び第２内かごは、内かごロープに接続されており、内かごロープは、外かごに固定される回転体に巻き掛けられている。
【０００３】
ところで、特許文献１に係るダブルデッキエレベータは、外かごが異常位置まで上昇する際に（具体的には、釣合錘が緩衝器に衝突する際に）、第１及び第２内かごが外かごに対して不規則な動きになることを抑制している。しかしながら、第１及び第２内かごが外かごに対して不規則な動きになるのは、他の状況でも考えられる。
【先行技術文献】
【特許文献】
【０００４】
【特許文献１】特開２０１３−３５６２０号公報
【発明の概要】
【発明が解決しようとする課題】
【０００５】
そこで、課題は、第１及び第２内かごが外かごに対して不規則な動きになることを抑制することができるダブルデッキエレベータを提供することである。
【課題を解決するための手段】
【０００６】
ダブルデッキエレベータは、上下方向に並列される第１及び第２内かごと、前記第１及び第２内かごを内部に配置する外かごと、前記外かごを上下方向に沿って案内する外かごレールと、前記外かごに固定され、前記第１内かごを上下方向に沿って案内する第１レールと、前記外かごに固定され、前記第２内かごを上下方向に沿って案内する第２レールと、前記第１内かごと前記第２内かごとにそれぞれ接続される内かごロープと、前記内かごロープが巻き掛けられ、前記外かごに固定される回転体と、を備え、前記外かごは、前記外かごレールに対して停止するために起動する外かご停止装置を備え、前記第１及び第２内かごの少なくとも一方は、案内される前記レールに対して停止するために起動する内かご停止装置を備え、前記内かご停止装置は、前記外かご停止装置が起動する際に、起動する。
【０００７】
また、ダブルデッキエレベータは、上方側で前記第１レールを構成し且つ下方側で前記第２レールを構成する内かごレールを備え、前記外かごは、上下方向に離間して配置される上枠及び下枠と、上下方向に沿って延び、前記上枠と前記下枠とにそれぞれ固定される縦枠と、を備え、前記回転体は、前記上枠に固定され、前記外かご停止装置は、前記外かごの下方側に配置され、前記内かごレールの下端部は、前記下枠に固定される、という構成でもよい。
【０００８】
また、ダブルデッキエレベータにおいては、前記内かごレールの上端部は、前記上枠と離間する、という構成でもよい。
【０００９】
また、ダブルデッキエレベータにおいては、前記縦枠の上下方向の圧縮強度は、前記内かごレールの上下方向の圧縮強度よりも、小さい、という構成でもよい。
【００１０】
また、ダブルデッキエレベータにおいては、前記内かご停止装置は、前記外かご停止装置が起動する前に、起動する、という構成でもよい。
【００１１】
また、ダブルデッキエレベータにおいては、前記内かご停止装置は、前記第１及び第２内かごの両方に備えられ、前記第１及び第２内かごの前記内かご停止装置は、同時に起動する、という構成でもよい。
【発明の効果】
【００１２】
以上の如く、ダブルデッキエレベータは、第１及び第２内かごが外かごに対して不規則な動きになることを抑制することができる、という優れた効果を奏する。
【図面の簡単な説明】
【００１３】
【図１】図１は、一実施形態に係るダブルデッキエレベータの全体概要図である。
【図２】図２は、同実施形態に係るダブルデッキエレベータの要部概要図である。
【図３】図３は、他の実施形態に係るダブルデッキエレベータの要部概要図である。
【発明を実施するための形態】
【００１４】
以下、ダブルデッキエレベータにおける一実施形態について、図１及び図２を参照しながら説明する。なお、各図（図３も同様）において、図面の寸法比と実際の寸法比とは、必ずしも一致しておらず、また、各図面の間での寸法比も、必ずしも一致していない。
【００１５】
図１に示すように、本実施形態に係るダブルデッキエレベータ（以下、単に「エレベータ」ともいう）１は、上下方向に並列される第１及び第２内かご２，３を備えている。なお、第１内かご２は、第２内かご３よりも上方に配置され、上内かご２ともいい、また、第２内かご３は、下内かご３ともいう。
【００１６】
そして、エレベータ１は、第１及び第２内かご２，３を内部に配置する外かご４と、外かご４を上下方向に沿って案内する外かごレール５，５とを備えている。なお、外かご４は、外かごレール５に対して停止するために起動する外かご停止装置４ａを備えている。
【００１７】
また、エレベータ１は、外かご４に接続される外かごロープ６と、外かごロープ６を経由して、外かご４を昇降させる巻上機７を備えている。さらに、エレベータ１は、外かご４の移動速度を検出する速度検出装置８と、外かご４の位置を検出する位置検出装置９と、外かご４の衝突を緩和するための緩衝器１０とを備えている。
【００１８】
巻上機７は、外かごロープ６が巻き掛けられる綱車７ａと、綱車７ａを回転させる第１駆動源７ｂと、綱車７ａの回転を停止させるべく、綱車７ａを制動する制動部７ｃとを備えている。そして、第１駆動源７ｂが綱車７ａを一方側に回転させることで、外かご４は、上昇し、第１駆動源７ｂが綱車７ａを他方側に回転させることで、外かご４は、下降する。
【００１９】
速度検出装置８は、無端円状の検出ロープ８ａと、検出ロープ８ａと外かご４とを連結する連結部８ｂと、検出ロープ８ａが巻き掛けられる検出車８ｃと、検出ロープ８ａに張力が働くように、検出ロープ８ａが巻き掛けられる張車８ｄとを備えている。そして、速度検出装置８は、検出車８ｃの回転速度に基づいて、外かご４の移動速度を検出している。
【００２０】
また、速度検出装置８は、外かご４が所定速度を超えて移動していることを検出する第１及び第２速度検出部８ｅ，８ｆを備えている。第１速度検出部８ｅは、外かご４が第１設定速度よりも速く移動していることを、検出し、第２速度検出部８ｆは、外かご４が第１設定速度よりも速い第２設定速度よりも速く移動していることを、検出する。
【００２１】
本実施形態においては、速度検出装置８は、異常な過速状態を検出する調速機を備えており、調速機は、検出車８ｃ、第１速度検出部８ｅ、及び第２速度検出部８ｆより、構成されている。したがって、本実施形態においては、各速度検出部８ｅ，８ｆは、物理的な遠心力を利用して所定の遠心力が働いた際に起動する機械的なスイッチである。なお、各速度検出部８ｅ，８ｆは、外かご４の移動速度をリニアに検出するために、所定の回転量ごとにパルスを出力するエンコーダとしてもよい。
【００２２】
そして、第１速度検出部８ｅが外かご４の超過速度を検出した際には、巻上機７の制動部７ｃが、綱車７ａを制動する。さらに、第２速度検出部８ｆが外かご４の超過速度を検出した際には、外かご停止装置４ａが起動し、外かご４は、外かごレール５に対して停止する。
【００２３】
位置検出装置９は、外かご４が所定位置を超えて下方に位置していることを検出する第１及び第２位置検出部９ａ，９ｂを備えている。第１位置検出部９ａは、外かご４が通常時に位置する下限位置よりも下方である第１下方位置に位置したことを検出し、第２位置検出部９ｂは、外かご４が第１下方位置よりも下方である第２下方位置に位置したことを検出する。例えば、各位置検出部９ａ，９ｂは、リミットスイッチ（接触式スイッチ）や光電センサとすることができる。
【００２４】
図２に示すように、エレベータ１は、第１及び第２内かご２，３の位置を調整する位置調整装置１１と、外かご４に固定され、第１及び第２内かご２，３を上下方向に沿って案内する内かごレール１２，１２とを備えている。内かごレール１２は、第１内かご２を上下方向に沿って案内する第１レール１２ａを、上方側で構成すると共に、第２内かご３を上下方向に沿って案内する第２レール１２ｂを、下方側で構成している。
【００２５】
外かご４は、上下方向に離間して配置される上枠４ｂ及び下枠４ｃと、上下方向に沿って延び、上枠４ｂと下枠４ｃとにそれぞれ固定される縦枠４ｄとを備えている。なお、外かご停止装置４ａは、外かご４の下方側に配置されている。本実施形態においては、外かご停止装置４ａは、下枠４ｃに固定されている。
【００２６】
位置調整装置１１は、第１内かご２と第２内かご３とにそれぞれ接続される内かごロープ１１ａと、内かごロープ１１ａが巻き掛けられ、外かご４に固定される回転可能な回転体１１ｂと、回転体１１ｂを回転させる第２駆動源１１ｃとを備えている。なお、回転体１１ｂは、外かご４の上枠４ｂに固定されており、第２駆動源１１ｃは、ブレーキ付き電動機としている。
【００２７】
また、第１内かご２は、内かごロープ１１ａが巻き掛けられる回転可能な吊車２ａ，２ａを備え、第２内かご３は、内かごロープ１１ａが巻き掛けられる回転可能な吊車３ａ，３ａを備えている。そして、内かごロープ１１ａの各端部は、外かご４の上枠４ｂに固定されている。これにより、位置調整装置１１は、第１及び第２内かご２，３の位置（互いの離間距離）を調整することができる。
【００２８】
例えば、第２駆動源１１ｃが回転体１１ｂを一方側に回転させることで、第１内かご２が外かご４に対して上昇する一方、第２内かご３が外かご４に対して下降する。これにより、第１内かご２と第２内かご３とは、離れる。反対に、第２駆動源１１ｃが回転体１１ｂを他方側に回転させることで、第１内かご２が外かご４に対して下降する一方、第２内かご３が外かご４に対して上昇する。これにより、第１内かご２と第２内かご３とは、近づく。
【００２９】
なお、内かごロープ１１ａは、第１及び第２内かご２，３の重量を回転体１１ｂで受けるように、第１内かご２と第２内かご３とにそれぞれ接続されている。本実施形態においては、内かごロープ１１ａは、第１及び第２内かご２，３の重量を回転体１１ｂ及び上枠４ｂで受けるように、第１内かご２と第２内かご３とにそれぞれ接続されている。
【００３０】
内かごレール１２の下端部１２ｃは、外かご４の下枠４ｃに固定されている。また、内かごレール１２の重量を小さくするために、内かごレール１２は、第１内かご２が移動する範囲のみに（即ち、上内かご２を案内できるように）、配置されている。具体的には、内かごレール１２の上端部１２ｄは、外かご４の上枠４ｂと離間している。
【００３１】
なお、内かごレール１２は、横方向に支持されるべく、例えば、縦枠４ｄとの間に配置される支持部材（図示していない）により、外かご４の縦枠４ｄに支持されている。但し、上下方向の力が内かごレール１２に働いた場合に、縦枠４ｄが当該力を負担することは殆どない。
【００３２】
第１及び第２内かご２，３は、内かごレール１２に対して停止するために起動する内かご停止装置２ｂ，３ｂをそれぞれ備えている。また、第１及び第２内かご２，３は、内かごロープ１１ａが破断した際に、内かごレール１２に対して停止するために起動する非常停止装置２ｃ，３ｃをそれぞれ備えている。
【００３３】
本実施形態においては、内かご停止装置２ｂ，３ｂは、第１及び第２内かご２，３の上方側に配置され、非常停止装置２ｃ，３ｃは、第１及び第２内かご２，３の下方側に配置されている。なお、内かご停止装置２ｂ，３ｂ及び非常停止装置２ｃ，３ｃの配置は、斯かる構成に限られない。
【００３４】
内かご停止装置２ｂ，３ｂは、第１及び第２内かご２，３を、内かごレール１２に固定する。即ち、内かご停止装置２ｂ，３ｂが起動することにより、第１及び第２内かご２，３は、内かごレール１２に対して、上方向にも、下方向にも変位しない。例えば、内かご停止装置２ｂ，３ｂは、内かごレール１２を掴む機構とすることができる。
【００３５】
内かご停止装置２ｂ，３ｂは、外かご停止装置４ａが起動する際に、起動する。具体的には、内かご停止装置２ｂ，３ｂは、外かご停止装置４ａが起動する前に、起動する。本実施形態においては、第２速度検出部８ｆが外かご４の超過速度を検出した際に、外かご停止装置４ａが起動することに対して、第１速度検出部８ｅが外かご４の超過速度を検出した際に、内かご停止装置２ｂ，３ｂが起動する。また、第１及び第２内かご２，３の内かご停止装置２ｂ，３ｂは、同時に起動する。
【００３６】
本実施形態においては、外かご停止装置４ａ及び非常停止装置２ｃ，３ｃは、信号や作動に電気を使用しない機械式の停止装置を採用している。また、外かご停止装置４ａは、第２速度検出部８ｆが外かご４の下降時の超過速度を検出した際のみに、起動する。そして、内かご停止装置２ｂ，３ｂは、信号や作動に電気を使用する停止装置を採用している。
【００３７】
本実施形態に係るエレベータ１の構成については以上の通りであり、次に、本実施形態に係るエレベータ１の作用について、比較例に係るエレベータと比較して、説明する。なお、比較例に係るエレベータは、第１及び第２内かご２，３が内かご停止装置２ｂ，３ｂを備えていない、という構成である。また、一例として、外かごロープ６が破断した場合について説明する。
【００３８】
まず、比較例に係るエレベータについて説明する。
【００３９】
比較例に係るエレベータにおいて、外かごロープ６が破断すると、外かご４が第１設定速度よりも速く下降する。これにより、第１速度検出部８ｅが外かご４の超過速度を検出するため、巻上機７の制動部７ｃが、綱車７ａを制動する。しかしながら、外かごロープ６が破断しているため、外かご４は、停止せずに、第２設定速度よりも速く下降する。これにより、第２速度検出部８ｆが外かご４の超過速度を検出するため、外かご停止装置４ａが起動する。
【００４０】
このとき、第１及び第２内かご２，３が外かご４に対して変位するため、第１及び第２内かご２，３が外かご４に対して不規則な動きをする、という問題が生じる。例えば、第１及び第２内かご２，３は、外かご４に対して浮き上がったり、また、外かご停止装置４ａが起動することにより、第１及び第２内かご２，３が下向きの衝撃を受けたり、その後、跳ね上ったりする。
【００４１】
また、第１及び第２内かご２，３が下向きの衝撃を受ける際には、第１及び第２内かご２，３等の重量（積載量も含む）は、外かご４で負担される。具体的には、第１及び第２内かご２，３等の重量の大部分は、外かご停止装置４ａを固定点として、内かごロープ１１ａ、回転体１１ｂ、及び上枠４ｂを経由して、縦枠４ｄで負担されることになる。
【００４２】
したがって、縦枠４ｄの上下方向の圧縮強度を大きくする必要があるため、縦枠４ｄの重量が必然と大きくなる、という問題も生じる。その結果、外かご４の重量が大きくなるため、例えば、外かご４の移動に必要なエネルギーが大きくなったり、他の機器のグレードアップやコストアップが必要になったりする。
【００４３】
次に、本実施形態に係るエレベータ１について説明する。
【００４４】
本実施形態に係るエレベータ１において、外かごロープ６が破断すると、外かご４が第１設定速度よりも速く下降する。これにより、第１速度検出部８ｅが外かご４の超過速度を検出するため、巻上機７の制動部７ｃが、綱車７ａを制動すると共に、第１及び第２内かご２，３の内かご停止装置２ｂ，３ｂがそれぞれ起動する。
【００４５】
これにより、第１及び第２内かご２，３は、内かごレール１２に対して停止する。このとき、第１及び第２内かご２，３の内かご停止装置２ｂ，３ｂは、同時に起動している。これにより、内かごロープ１１ａが回転体１１ｂに対して動くことを抑制することができるため、内かごロープ１１ａが回転体１１ｂから外れることを抑制することができる。
【００４６】
そして、外かごロープ６が破断しているため、外かご４は、停止せずに、第２設定速度よりも速く下降する。これにより、第２速度検出部８ｆが外かご４の超過速度を検出するため、外かご停止装置４ａが起動する。このとき、第１及び第２内かご２，３が、内かごレール１２を介在して外かご４に対して固定されているため、第１及び第２内かご２，３が外かご４に対して不規則な動きになることを抑制することができる。
【００４７】
しかも、第１及び第２内かご２，３は、内かごレール１２を介在して、外かご４に対して固定されているため、第１及び第２内かご２，３等の重量（積載量も含む）の大部分は、外かご停止装置４ａを固定点として、下枠４ｃに下端部１２ｃが固定された内かごレール１２で負担されることになる。これにより、縦枠４ｄが当該重量を負担しなくてもよいため、縦枠４ｄの上下方向の圧縮強度を小さくすることができる。
【００４８】
ところで、内かごレール１２は、非常停止装置２ｃ，３ｃが起動した際に、第１及び第２内かご２，３等の重量を負担しなければならない。したがって、内かごレール１２の上下方向の圧縮強度は、元々大きく設計されているため、上記のように、内かご停止装置２ｂ，３ｂが起動することに起因して、さらに大きくする必要はない。よって、縦枠４ｄの上下方向の圧縮強度は、内かごレール１２の上下方向の圧縮強度よりも、小さくなっている。
【００４９】
このように、縦枠４ｄの上下方向の圧縮強度を小さくすることで、縦枠４ｄの重量を小さくすることができる。これにより、外かご４の重量を小さくすることができるため、外かご４の移動に必要なエネルギーを小さくできたり、他の機器のグレードアップやコストアップを不要にしたりすることができる。
【００５０】
以上より、本実施形態に係るダブルデッキエレベータ１は、上下方向に並列される第１及び第２内かご２，３と、前記第１及び第２内かご２，３を内部に配置する外かご４と、前記外かご４を上下方向に沿って案内する外かごレール５と、前記外かご４に固定され、前記第１内かご２を上下方向に沿って案内する第１レール１２ａと、前記外かご４に固定され、前記第２内かご３を上下方向に沿って案内する第２レール１２ｂと、前記第１内かご２と前記第２内かご３とにそれぞれ接続される内かごロープ１１ａと、前記内かごロープ１１ａが巻き掛けられ、前記外かご４に固定される回転体１１ｂと、を備え、前記外かご４は、前記外かごレール５に対して停止するために起動する外かご停止装置４ａを備え、前記第１及び第２内かご２，３の少なくとも一方（本実施形態においては、第１及び第２内かご２，３）は、案内される前記レール１２ａ，１２ｂに対して停止するために起動する内かご停止装置２ｂ，３ｂを備え、前記内かご停止装置２ｂ，３ｂは、前記外かご停止装置４ａが起動する際に、起動する。
【００５１】
斯かる構成によれば、第１及び第２内かご２，３の少なくとも一方（本実施形態においては、第１及び第２内かご２，３）は、案内されるレール１２ａ，１２ｂに対して停止するために起動する内かご停止装置２ｂ，３ｂを備えている。そして、外かご停止装置４ａが起動する際に、内かご停止装置２ｂ，３ｂが起動するため、外かご４が外かごレール５に対して停止する際に、第１及び第２内かご２，３は、レール１２ａ，１２ｂに対して停止する。
【００５２】
これにより、外かご４が外かごレール５に対して停止する際に、第１及び第２内かご２，３が外かご４に対して変位することを抑制することができる。したがって、外かご停止装置４ａが起動する際に、第１及び第２内かご２，３が外かご４に対して不規則な動きになることを抑制することができる。
【００５３】
また、本実施形態に係るダブルデッキエレベータ１においては、上方側で前記第１レール１２ａを構成し且つ下方側で前記第２レール１２ｂを構成する内かごレール１２を備え、前記外かご４は、上下方向に離間して配置される上枠４ｂ及び下枠４ｃと、上下方向に沿って延び、前記上枠４ｂと前記下枠４ｃとにそれぞれ固定される縦枠４ｄと、を備え、前記回転体１１ｂは、前記上枠４ｂに固定され、前記外かご停止装置４ａは、前記外かご４の下方側に配置され、前記内かごレール１２の下端部１２ｃは、前記下枠４ｃに固定される、という構成である。
【００５４】
斯かる構成によれば、内かごレール１２は、上方側で第１レール１２ａを構成し、下方側で第２レール１２ｂを構成している。また、外かご４は、上下方向に離間して配置される上枠４ｂ及び下枠４ｃと、上下方向に沿って延び、上枠４ｂと下枠４ｃとにそれぞれ固定される縦枠４ｄとを備えている。そして、回転体１１ｂは、上枠４ｂに固定されており、外かご停止装置４ａは、外かご４の下方側に配置されている。
【００５５】
ところで、内かご停止装置２ｂ，３ｂが備えられていない構成においては、例えば、外かご４が下降している際に、外かご停止装置４ａが起動すると、第１及び第２内かご２，３等の重量（積載量も含む）の大部分は、内かごロープ１１ａ、回転体１１ｂ、及び上枠４ｂを経由して、縦枠４ｄで負担されることになる。したがって、縦枠４ｄの上下方向の圧縮強度を大きくする必要がある。
【００５６】
それに対して、本実施形態に係る構成によれば、内かご停止装置２ｂ，３ｂが備えられており、しかも、内かごレール１２の下端部１２ｃが下枠４ｃに固定されている。これにより、外かご停止装置４ａが起動して、内かご停止装置２ｂ，３ｂが起動すると、第１及び第２内かご２，３等の重量の大部分は、内かごレール１２で負担されることになる。したがって、外かご停止装置４ａが起動する際に、縦枠４ｄが第１及び第２内かご２，３等の重量を負担することを抑制することができる。
【００５７】
このように、外かご停止装置４ａが起動する際に、縦枠４ｄが第１及び第２内かご２，３等の重量を負担することを抑制することができるため、内かごレール１２で縦枠４ｄを補強しなくてもよい。したがって、内かごレール１２の上端部１２ｄを上枠４ｂに固定させなくてもよく、内かごレール１２は、少なくとも、第１内かご２が移動する範囲に配置されていればよい。
【００５８】
そこで、本実施形態に係るダブルデッキエレベータ１においては、前記内かごレール１２の上端部１２ｄは、前記上枠４ｂと離間する、という構成を採用している。
【００５９】
斯かる構成によれば、内かごレール１２の上端部１２ｄが、上枠４ｂと離間しているため、内かごレール１２の重量を小さくすることができる。これにより、かご全体（外かご４、第１及び第２内かご２，３）の重量を小さくすることができる。
【００６０】
また、上記のように、外かご停止装置４ａが起動する際に、縦枠４ｄが第１及び第２内かご２，３等の重量を負担することを抑制することができるため、縦枠４ｄの上下方向の圧縮強度を大きくしなくてもよい。したがって、縦枠４ａの上下方向の圧縮強度は、少なくとも、通常時に負担する荷重に耐えられる強度であればよい。
【００６１】
そこで、本実施形態に係るダブルデッキエレベータ１においては、前記縦枠４ｄの上下方向の圧縮強度は、前記内かごレール１２の上下方向の圧縮強度よりも、小さい、という構成を採用している。
【００６２】
斯かる構成によれば、縦枠４ｄの上下方向の圧縮強度が、内かごレール１２の上下方向の圧縮強度よりも小さいため、縦枠４ｄの重量を小さくすることができる。これにより、例えば、外かご４の重量を小さくすることができる。
【００６３】
また、本実施形態に係るダブルデッキエレベータ１においては、前記内かご停止装置２ｂ，３ｂは、前記外かご停止装置４ａが起動する前に、起動する、という構成である。
【００６４】
斯かる構成によれば、外かご停止装置４ａが起動する前に、内かご停止装置２ｂ，３ｂが起動するため、外かご４が外かごレール５に対して停止する際に、第１及び第２内かご２，３が外かご４に対して変位することを確実に抑制することができる。したがって、外かご停止装置４ａが起動する際に、第１及び第２内かご２，３が外かご４に対して不規則な動きになることを確実に抑制することができる。
【００６５】
また、本実施形態に係るダブルデッキエレベータ１においては、前記内かご停止装置２ｂ，３ｂは、前記第１及び第２内かご２，３の両方に備えられ、前記第１及び第２内かご２，３の前記内かご停止装置２ｂ，３ｂは、同時に起動する、という構成である。
【００６６】
斯かる構成によれば、内かご停止装置２ｂ，３ｂが、第１及び第２内かご２，３の両方に備えられており、しかも、同時に起動するため、当該起動時に、内かごロープ１１ａが回転体１１ｂに対して動くことを抑制することができる。これにより、例えば、内かごロープ１１ａが回転体１１ｂから外れることを抑制することができる。
【００６７】
なお、ダブルデッキエレベータは、上記した実施形態の構成に限定されるものではなく、また、上記した作用効果に限定されるものではない。また、ダブルデッキエレベータは、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６８】
上記実施形態に係るダブルデッキエレベータ１においては、内かご停止装置２ｂ，３ｂは、第１及び第２内かご２，３の両方に備えられている、という構成である。しかしながら、ダブルデッキエレベータは、斯かる構成に限られない。例えば、図３に示すように、内かご停止装置２ｂ，３ｂは、第１及び第２内かご２，３のうち何れか一方（図３においては、第１内かご２）に備えられている、という構成でもよい。
【００６９】
また、上記実施形態に係るダブルデッキエレベータ１においては、内かごロープ１１ａは、第１及び第２内かご２，３の吊車２ａ，３ａに巻き掛けられることで、第１内かご２と第２内かご３とにそれぞれ接続される、という構成である。しかしながら、ダブルデッキエレベータは、斯かる構成に限られない。例えば、図３に示すように、内かごロープ１１ａは、第１及び第２内かご２，３に固定されることで、第１内かご２と第２内かご３とにそれぞれ接続される、という構成でもよい。
【００７０】
図３に係るダブルデッキエレベータ１においては、位置調整装置１１は、第１内かご２と第２内かご３とにそれぞれ接続される内かごロープ１１ａと、内かごロープ１１ａが巻き掛けられ、外かご４の上枠４ｂに固定される回転可能な回転体１１ｂ，１１ｂとを備えている。また、位置調整装置１１は、第２内かご３に接続される接続体１１ｄと、外かご４の下枠４ｃに固定され、接続体１１ｄを上下方向に移動させる（伸縮させる）第２駆動源１１ｃとを備えている。
【００７１】
また、第２内かご３は、側部の下端部に、内かごロープ１１ａに固定される固定部３ｄを備えている。そして、内かごロープ１１ａの一端部は、第１内かご２に固定され、内かごロープ１１ａの他端部は、第２内かご３の固定部３ｄに固定されている。これにより、位置調整装置１１は、第２駆動源１１ｃが接続体１１ｄを上下方向に移動させる（伸縮させる）ことで、第１及び第２内かご２，３の位置（互いの離間距離）を調整することができる。
【００７２】
ところで、第２駆動源１１ｃは、ブレーキ付き電動機としている。これにより、第２駆動源１１ｃが接続体１１ｄを上下方向に移動させない（伸縮させない）限り、第２内かご３は、外かご４に対して変位しない。即ち、第２内かご３は、第２駆動源１１ｃがブレーキを作動することで、接続体１１ｄ及び第２駆動源１１ｃを介在して、外かご４に固定されている。
【００７３】
したがって、外かご停止装置４ａが起動しても、接続体１１ｄ及び第２駆動源１１ｃにより、第２内かご３が外かご４に対して不規則な動きになることを抑制することができる。これにより、図３に係るダブルデッキエレベータ１においては、第１内かご２は、内かご停止装置２ｂ及び非常停止装置２ｃを備える一方、第２内かご３は、内かご停止装置３ｂ及び非常停止装置３ｃを備えていない。
【００７４】
また、上記実施形態に係るダブルデッキエレベータ１においては、第１レール１２ａ及び第２レール１２ｂは、一体に形成されている、という構成である。しかしながら、ダブルデッキエレベータは、斯かる構成に限られない。例えば、第１レール１２ａと第２レール１２ｂとは、分離されている、という構成でもよい。例えば、外かご４は、上枠４ｂと下枠４ｃとの間に配置される中枠を備え、第１レール１２ａは、上枠４ｂと中枠とに固定され、第２レール１２ｂは、中枠と下枠４ｃとに固定されている、という構成でもよい。
【００７５】
また、上記実施形態に係るダブルデッキエレベータ１においては、回転体１１ｂは、上枠４ｂに固定されている、という構成である。しかしながら、ダブルデッキエレベータは、斯かる構成に限られない。例えば、回転体１１ｂは、下枠４ｃに固定されている、という構成でもよい。また、例えば、回転体１１ｂは、縦枠４ｄに固定されている、という構成でもよい。
【００７６】
また、上記実施形態に係るダブルデッキエレベータ１においては、外かご停止装置４ａは、外かご４の下方側に配置される、という構成である。しかしながら、ダブルデッキエレベータは、斯かる構成に限られない。例えば、外かご停止装置４ａは、外かご４の上下方向の中央に配置される、という構成でもよい。また、例えば、外かご停止装置４ａは、外かご４の上方側に配置される、という構成でもよい。
【００７７】
また、上記実施形態に係るダブルデッキエレベータ１においては、内かごレール１２の上端部１２ｄは、上枠４ｂと離間する、という構成である。しかしながら、ダブルデッキエレベータは、斯かる構成に限られない。また、例えば、内かごレール１２の上端部１２ｄは、上枠４ｂに固定されている、という構成でもよい。
【００７８】
また、上記実施形態に係るダブルデッキエレベータ１においては、縦枠４ｄの上下方向の圧縮強度は、内かごレール１２の上下方向の圧縮強度よりも、小さい、という構成である。しかしながら、ダブルデッキエレベータは、斯かる構成に限られない。例えば、縦枠４ｄの上下方向の圧縮強度は、内かごレール１２の上下方向の圧縮強度と同じである、という構成でもよい。また、例えば、縦枠４ｄの上下方向の圧縮強度は、内かごレール１２の上下方向の圧縮強度よりも、大きい、という構成でもよい。
【００７９】
また、上記実施形態に係るダブルデッキエレベータ１においては、内かご停止装置２ｂ，３ｂは、外かご停止装置４ａが起動する前に、起動する、という構成である。しかしながら、ダブルデッキエレベータは、斯かる構成に限られない。例えば、内かご停止装置２ｂ，３ｂは、外かご停止装置４ａが起動すると同時に、起動する、という構成でもよい。また、例えば、内かご停止装置２ｂ，３ｂは、外かご停止装置４ａが起動した後に、起動する、という構成でもよい。
【００８０】
また、上記実施形態に係るダブルデッキエレベータ１においては、第１速度検出部８ｅが外かご４の超過速度を検出した際に、内かご停止装置２ｂ，３ｂが起動し、第２速度検出部８ｆが外かご４の超過速度を検出した際に、外かご停止装置４ａが起動する、という構成である。しかしながら、ダブルデッキエレベータは、斯かる構成に限られない。例えば、一つの速度検出部（第１速度検出部８ｅ又は第２速度検出部８ｆ）が外かご４の超過速度を検出した際に、内かご停止装置２ｂ，３ｂが起動し、その後設定時間が経過した後に（又は、同時に）、外かご停止装置４ａが起動する、という構成でもよい。
【００８１】
また、上記実施形態に係るダブルデッキエレベータ１においては、第１及び第２内かご２，３の内かご停止装置２ｂ，３ｂは、同時に起動する、という構成である。しかしながら、ダブルデッキエレベータは、斯かる構成に限られない。例えば、第１及び第２内かご２，３の内かご停止装置２ｂ，３ｂは、異なるタイミングで起動する、という構成でもよい。
【００８２】
また、上記実施形態に係るダブルデッキエレベータ１においては、速度検出部８ｅ，８ｆが検出することで、内かご停止装置２ｂ，３ｂ及び外かご停止装置４ａが起動する、という構成である。しかしながら、ダブルデッキエレベータは、斯かる構成に限られない。例えば、位置検出部９ａ，９ｂが外かご４の位置を検出することで、内かご停止装置２ｂ，３ｂ及び外かご停止装置４ａが起動する、という構成でもよい。
【００８３】
例えば、第１位置検出部９ａが外かご４の位置を検出した際に、内かご停止装置２ｂ，３ｂが起動し、第２位置検出部９ｂが外かご４の位置を検出した際に、外かご停止装置４ａが起動する、という構成でもよい。また、例えば、一つの位置検出部（第１位置検出部９ａ又は第２位置検出部９ｂ）が外かご４の位置を検出した際に、内かご停止装置２ｂ，３ｂが起動し、その後設定時間が経過した後に（又は、同時に）、外かご停止装置４ａが起動する、という構成でもよい。
【００８４】
また、上記実施形態に係るダブルデッキエレベータ１においては、内かご停止装置２ｂ，３ｂは、非常停止装置２ｃ，３ｃと別装置である、という構成である。しかしながら、ダブルデッキエレベータは、斯かる構成に限られない。例えば、内かご停止装置２ｂ，３ｂは、非常停止装置２ｃ，３ｃを兼用する、という構成でもよい。
【００８５】
また、上記実施形態に係るダブルデッキエレベータ１においては、外かご停止装置４ａは、第２速度検出部８ｆが外かご４の下降時の超過速度を検出した際のみに、起動する、という構成である。しかしながら、ダブルデッキエレベータは、斯かる構成に限られない。例えば、外かご停止装置４ａは、第２速度検出部８ｆが外かご４の上昇時の超過速度を検出した際にも、起動する、という構成でもよい。また、例えば、外かご停止装置４ａは、第２速度検出部８ｆが外かご４の上昇時の超過速度を検出した際のみに、起動する、という構成でもよい。
【００８６】
また、上記実施形態に係るダブルデッキエレベータ１においては、外かご停止装置４ａ及び非常停止装置２ｃ，３ｃは、信号や作動に電気を使用しない機械式の停止装置であり、内かご停止装置２ｂ，３ｂは、信号や作動に電気を使用する停止装置である、という構成である。しかしながら、ダブルデッキエレベータは、斯かる構成に限られない。
【００８７】
例えば、外かご停止装置４ａは、信号や作動に電気を使用する停止装置である、という構成でもよい。また、例えば、非常停止装置２ｃ，３ｃは、信号や作動に電気を使用する停止装置である、という構成でもよい。また、例えば、内かご停止装置２ｂ，３ｂは、信号や作動に電気を使用しない機械式の停止装置である、という構成でもよい。
【００８８】
また、上記実施形態に係るダブルデッキエレベータ１は、外かごロープ６及び巻上機７を有するロープ式エレベータである、という構成である。しかしながら、ダブルデッキエレベータは、斯かる構成に限られず、例えば、リニアモータ式エレベータ又は油圧式エレベータである、という構成でもよい。
【００８９】
また、ダブルデッキエレベータ１においては、例えば、各停止装置２ｂ，３ｂ，４ａは、起動してすぐに、各レール１２ａ（１２），１２ｂ（１２），５に対して停止（固定）する構成でもよい。また、例えば、各停止装置２ｂ，３ｂ，４ａは、起動して、各レール１２ａ（１２），１２ｂ（１２），５に対して徐々に停止（固定）する構成でもよい。
【００９０】
また、ダブルデッキエレベータ１においては、内かご停止装置２ｂ，３ｂは、外かご停止装置４ａが起動する際だけでなく、例えば、手動でも、起動する、という構成でもよい。斯かる構成によれば、内かご停止装置２ｂ，３ｂを起動させることで、例えば、点検者の点検スペースを確保することができる。
【符号の説明】
【００９１】
１…ダブルデッキエレベータ、２…第１内かご、２ａ…吊車、２ｂ…内かご停止装置、２ｃ…非常停止装置、３…第２内かご、３ａ…吊車、３ｂ…内かご停止装置、３ｃ…非常停止装置、３ｄ…固定部、４…外かご、４ａ…外かご停止装置、４ｂ…上枠、４ｃ…下枠、４ｄ…縦枠、５…外かごレール、６…外かごロープ、７…巻上機、７ａ…綱車、７ｂ…第１駆動源、７ｃ…制動部、８…速度検出装置、８ａ…検出ロープ、８ｂ…連結部、８ｃ…検出車、８ｄ…張車、８ｅ…第１速度検出部、８ｆ…第２速度検出部、９…位置検出装置、９ａ…第１位置検出部、９ｂ…第２位置検出部、１０…緩衝器、１１…位置調整装置、１１ａ…内かごロープ、１１ｂ…回転体、１１ｃ…第２駆動源、１１ｄ…接続体、１２…内かごレール、１２ａ…第１レール、１２ｂ…第２レール、１２ｃ…下端部、１２ｄ…上端部
【図１】
2018065627.tif 000003
【図２】
2018065627.tif 000004
【図３】
2018065627.tif 000005